(57)【要約】      （修正有）【課題】外部ストロボの光ファイバ用の端子受孔部を導光に最適の位置又は本体から露出しない位置に隠すことができる水中カメラシステムの可動式光フアィバコネクタを提供する。【解決手段】本体２に設けたストロボ光透過窓９に一端を臨ませる光フアィバ３０を介して本体２と組み合わせる外部ストロボのストロボ制御信号として導光する水中カメラシステム１の可動式光フアィバコネクタであって、本体２のストロボ光透過窓９に近接するハウジング鏡筒部７に回動可能に嵌装した円環状回動体２２と、この円環状回動体２２の一部に突設した光フアィバ３０の入光端子部が装着される端子受孔部２３と、円環状回動体２２の他部に本体２の前面に露出する状態に突設した操作片２４とを有し、操作片２４の回動操作により、端子受孔部２３をストロボ光透過窓９に対面する位置と、本体２の外面に露出しない位置とにわたって変位可能としたものである。【選択図】図５
2009288595.tif 000002
【特許請求の範囲】
【請求項１】
水中カメラハウジングの本体内に収納されるカメラの内蔵ストロボからのストロボ光を、前記本体に設けたストロボ光透過窓に一端を臨ませる光フアィバを介して前記本体と組み合わせる外部ストロボのストロボ制御信号として導光する水中カメラシステムの可動式光フアィバコネクタであって、
前記本体のストロボ光透過窓に近接するハウジング鏡筒部に回動可能に嵌装した円環状回動体と、この円環状回動体の一部に突設した前記光フアィバの入光端子部が装着される端子受孔部と、前記円環状回動体の他部に前記本体前面に露出する状態に突設した回動操作用の操作片と、を有し、
前記操作片の回動操作により、前記端子受孔部を前記ストロボ光透過窓に対面する位置と、前記本体の外面に露出しない位置とにわたって変位可能としたことを特徴とする水中カメラシステムの可動式光フアィバコネクタ。
【請求項２】
ハウジング鏡筒部、このハウジング鏡筒部の上部に位置するハウジングシューを備える水中カメラハウジングの本体内に収納されるカメラの内蔵ストロボからのストロボ光を、前記本体のハウジング鏡筒部近傍に設けたストロボ光透過窓に一端を臨ませる光フアィバを介して前記本体と組み合わせる外部ストロボのストロボ制御信号として導光する水中カメラシステムの可動式光フアィバコネクタであって、
前記本体のストロボ光透過窓に近接するハウジング鏡筒部に回動可能に嵌装した円環状回動体と、この円環状回動体の一部に突設した前記光フアィバの入光端子部が装着される端子受孔部と、前記円環状回動体の他部に前記本体前面に露出する状態に突設した回動操作用の操作片と、を有し、
前記操作片の回動操作により、前記端子受孔部を前記ストロボ光透過窓に対面する位置と、前記ハウジング鏡筒部の上部のハウジングシューにおけるハウジング鏡筒部に隣接する表面部材に設けた収納空間内に隠れる位置とにわたって変位可能としたことを特徴とする水中カメラシステムの可動式光フアィバコネクタ。
【発明の詳細な説明】
【技術分野】
【０００１】
本発明は、水中カメラシステムの可動式光フアィバコネクタに関するものである。
【背景技術】
【０００２】
従来、水中での魚類や水中植物等の被写体の撮影時に使用される水中カメラシステムとして、水中カメラハウジングの本体に収納されるカメラの内蔵ストロボからのストロボ光を、前記本体に設けたストロボ光透過窓に一端の入光端子部を臨ませる光フアィバを介して前記本体と組み合わせる外部ストロボのストロボ制御信号として導光し、内蔵ストロボの発光に同期して外部ストロボを発光させ、所望の被写体像の撮影を実行するようにしたシステムが知られている。
【０００３】
このような水中カメラシステムにおいては、光フアィバの入光端子部をストロボ光透過窓に対してできるだけ受光効率の良い位置、すなわち、ストロボ光透過窓に対面する位置に配置することがストロボ制御信号を的確に得るために必要となる。
【０００４】
しかし、この場合外部ストロボを使用しないで内蔵ストロボのみを使用して撮影を実行する際に、ストロボ光透過窓に入光端子部を臨ませたままの光ファイバによって内蔵ストロボのストロボ光がけられてしまい、良好な被写体撮影ができなくなるという不都合が生じる。
【０００５】
特許文献１には、本発明に関連する技術として、スチル（静止画）撮影に対応した、光ファイバー接続式水中カメラ用の水中撮影システムが提案されている（例えば特許文献１：図５）。
【０００６】
この特許文献１の水中撮影システムは、防水カメラハウジングの外面の一部に、光ファイバーの一端を接続するＬＥＤを備えた光ファイバーコネクタを設け、防水カメラハウジングのシャッターボタンの操作に連動する電気信号を防水カメラハウジング内の電子回路ユニットに於いて、増幅しつつ前記ＬＥＤに導き、ＬＥＤを発光させて光ファイバーの一端に入射し、外部ストロボ等に制御信号として導光するように構成したものである。
【０００７】
従って、防水カメラハウジングの外面の一部に光ファイバーコネクタが常時露出する構成となっている。
【特許文献１】特開２００１−０３３８５２号公報
【発明の開示】
【発明が解決しようとする課題】
【０００８】
本発明が解決しようとする問題点は、外部ストロボを使用する際には光ファイバ用の端子受孔部を導光に最適の位置に配置でき、また、外部ストロボを使用しない場合には水中カメラハウジングの本体から露出しない位置に隠すことができるような水中カメラシステムの可動式光フアィバコネクタが存在しない点である。
【課題を解決するための手段】
【０００９】
本発明は、水中カメラハウジングの本体内に収納されるカメラの内蔵ストロボからのストロボ光を、前記本体に設けたストロボ光透過窓に一端を臨ませる光フアィバを介して前記本体と組み合わせる外部ストロボのストロボ制御信号として導光する水中カメラシステムの可動式光フアィバコネクタであって、前記本体のストロボ光透過窓に近接するハウジング鏡筒部に回動可能に嵌装した円環状回動体と、この円環状回動体の一部に突設した前記光フアィバの入光端子部が装着される端子受孔部と、前記円環状回動体の他部に前記本体前面に露出する状態に突設した回動操作用の操作片と、を有し、前記操作片の回動操作により、前記端子受孔部を前記ストロボ光透過窓に対面する位置と、前記本体の外面に露出しない位置とにわたって変位可能としたことを最も主要な特徴とする。
【発明の効果】
【００１０】
請求項１記載の発明によれば、外部ストロボを使用する際には光ファイバ用の端子受孔部を導光に最適の位置に配置して内蔵ストロボの発光に同期して外部ストロボを発光させ、所望の被写体の撮影を的確に実行することが可能となるとともに、外部ストロボを使用しない場合には端子受孔部を本体から露出しない位置に隠すことができて内蔵ストロボのストロボ光のけられの無い良好な被写体撮影を実行できる水中カメラシステムの可動式光フアィバコネクタを提供することができる。
【００１１】
請求項２記載の発明によれば、ハウジング鏡筒部の上部にハウジングシューを備え、また、ハウジング鏡筒部に近接したストロボ光透過窓を備える本体構成に適用して、請求項１記載の発明の場合と同様な効果を奏する水中カメラシステムの可動式光フアィバコネクタを提供することができる。
【発明を実施するための最良の形態】
【００１２】
本発明は、外部ストロボを使用する際には光ファイバ用の端子受孔部を導光に最適の位置に配置でき、また、外部ストロボを使用しない場合には水中カメラハウジングの本体から露出しない位置に隠すことができる水中カメラシステムの可動式光フアィバコネクタを提供するという目的を有する。
【００１３】
本発明は、ハウジング鏡筒部、このハウジング鏡筒部の上部に位置するハウジングシューを備える水中カメラハウジングの本体内に収納されるカメラの内蔵ストロボからのストロボ光を、前記本体のハウジング鏡筒部近傍に設けたストロボ光透過窓に一端を臨ませる光フアィバを介して前記本体と組み合わせる外部ストロボのストロボ制御信号として導光する水中カメラシステムの可動式光フアィバコネクタであって、前記本体のストロボ光透過窓に近接するハウジング鏡筒部に回動可能に嵌装した円環状回動体と、この円環状回動体の一部に突設した前記光フアィバの入光端子部が装着される端子受孔部と、前記円環状回動体の他部に前記本体前面に露出する状態に突設した回動操作用の操作片と、を有し、前記操作片の回動操作により、前記端子受孔部を前記ストロボ光透過窓に対面する位置と、前記ハウジング鏡筒部の上部のハウジングシューにおけるハウジング鏡筒部に隣接する表面部材に設けた収納空間内に隠れる位置とにわたって変位可能とした構成により上記目的を実現した。
【実施例】
【００１４】
以下に、本発明の実施例に係る水中カメラシステムの可動式光フアィバコネクタについて図面を参照して詳細に説明する。
【００１５】
本実施例に係る水中カメラシステム１は、図１、図５に示すように、例えば合成樹脂材を主要素とし、全体として略直方体状を呈する形状とした水中カメラハウジングの本体２を有している。
【００１６】
この本体２は、表ハウジング３、裏ハウジング４をヒンジ５、パチン錠６を用いて開閉可能に結合し、その内部に図示しないが内蔵ストロボを搭載したカメラ（例えばデジタルカメラ、スチールカメラ、ビデオカメラ等）を水密状態で収容するように構成している。
【００１７】
前記本体２には、その表面略中央部を占める内部に収容するカメラのレンズ鏡筒部が嵌装されるハウジング鏡筒部７、このハウジング鏡筒部７の上部に位置する例えば図示しない外部ストロボ等が装着されるハウジングシュー（アクセサリーシュー）８、前記ハウジング鏡筒部７に隣接し、内部に収容するカメラの内蔵ストロボに対応する配置の光透過部材を用いたストロボ光透過窓９、シャッターレバー１０、ＴＴＬ切り替えダイヤル１１等が設けられている。
【００１８】
次に、本実施例に係る水中カメラシステム１を構成する可動式光フアィバコネクタ２０について説明する。
【００１９】
この可動式光フアィバコネクタ２０は、図１乃至図３、更には図４に示すように、その中央部に前記ハウジング鏡筒部７の外径よりわずかに大きい円形の嵌装孔２１を有し、前記ハウジング鏡筒部７の外周に対して、回動可能に嵌装される薄い板厚の円環状回動体２２と、この円環状回動体２２の外周の一部から略逆Ｌ状を呈するように突設した後述する光フアィバ３０の入光端子部３１が装着される端子受孔部２３と、前記円環状回動体２２の外周の他部に前記本体２の前面に常時露出する状態となる配置で突設したカメラマンの回動操作用の操作片２４と、を有している。
【００２０】
そして、図１、図２、図３に示すように、前記可動式光フアィバコネクタ２０をハウジング鏡筒部７の外周に嵌装した状態で、カメラマンが前記操作片２４を摘まみ、矢印ａ方向に円環状回動体２２を回動させる簡略操作で、前記端子受孔部２３を前記ストロボ光透過窓９に対面する位置（受光位置）に変位させるようになっている。
【００２１】
また、逆にカメラマンが前記操作片２４を摘まみ、矢印ｂ方向に円環状回動体２２を回動させる簡略操作で、前記端子受孔部２３を前記ハウジング鏡筒部７の上部のハウジングシュー８における表面部材８ａの裏側に設けた収納空間８ｂ内に隠れる図１左欄及び図２に示す位置（隠れ位置）に変位させるようになっている。
【００２２】
次に、本実施例に係る水中カメラシステム１の動作を、前記可動式光フアィバコネクタ２０の回動動作を主にし、かつ、図５をも参照して説明する。
本実施例に係る水中カメラシステム１において、外部ストロボを使用して被写体の撮影を行なおうとする場合には、まず、カメラマンは前記操作片２４を摘まみ矢印ａ方向に円環状回動体２２を回動させて、前記端子受孔部２３を前記ストロボ光透過窓９に対面させる。
【００２３】
次に、図５左欄に示すように、前記光フアィバ３０の入光端子部３１を端子受孔部２３に装着することで、この入光端子部３１を前記ストロボ光透過窓９に対して、図５右欄に示すように、最も光の入射効率が良い状態に臨ませることができる。
【００２４】
この結果、前記本体２内のカメラの内蔵ストロボからの光を、前記ストロボ光透過窓９、前記入光端子部３１、光フアィバ３０を介して前記本体２と組み合わせる図示しない外部ストロボ用のストロボ制御信号として導光し、内蔵ストロボの発光に同期して外部ストロボを発光させ、所望の被写体像の撮影を的確に実行することが可能となる。
【００２５】
一方、外部ストロボを使用しない場合には、上述したようにカメラマンが前記操作片２４を摘まみ、矢印ｂ方向に円環状回動体２２を回動させることで、前記端子受孔部２３を前記ハウジング鏡筒部７の上部のハウジングシュー８における表面部材８ａの裏側に設けた収納空間８ｂ内に隠す。
【００２６】
これにより、外部ストロボを使用せず、内蔵ストロボのみを使用して撮影を実行する際に、ストロボ光透過窓９の周辺には何等の障害物が存在しないことになり、内蔵ストロボのストロボ光がけられてしまい、良好な被写体撮影ができなくなるというような不都合発生を皆無とすることができる。
【００２７】
また、前記端子受孔部２３が表面部材８ａの裏側に隠れることから、水中カメラハウジングの本体２の外観体裁も良好となる。
【産業上の利用可能性】
【００２８】
本発明に係る可動式光フアィバコネクタは、上述した水中カメラハウジングに適用する場合の他、光ファイバー接続式を採用してストロボ、各種照明用ライト等をカメラに組み合わせる構成のカメラシステムに広範に応用可能である。
【図面の簡単な説明】
【００２９】
【図１】本発明の実施例に係る水中カメラシステムの可動式光フアィバコネクタを含む水中カメラハウジングの本体及び可動式光フアィバコネクタの変位状態を示す説明図である。
【図２】本実施例に係る可動式光フアィバコネクタにおける端子受孔部がハウジングシュー内に隠れた状態を示す説明図である。
【図３】本実施例に係る可動式光フアィバコネクタにおける端子受孔部をストロボ光透過窓に対面する位置に変位させた状態の説明図である。
【図４】本実施例に係る可動式光フアィバコネクタのみを示す平面図である。
【図５】本実施例に係る可動式光フアィバコネクタにおける端子受孔部をストロボ光透過窓に対面させ、光フアィバの入光端子部を端子受孔部に装着してストロボ光透過窓に臨ませる状態を示す説明図である。
【符号の説明】
【００３０】
１    水中カメラシステム
２    本体
３    表ハウジング
４    裏ハウジング
５    ヒンジ
６    パチン錠
７    ハウジング鏡筒部
８    ハウジングシュー
８ａ  表面部材
８ｂ  収納空間
９    ストロボ光透過窓
１０    シャッターレバー
１１    ＴＴＬ切り替えダイヤル
２０    可動式光フアィバコネクタ
２１    嵌装孔
２２    円環状回動体
２３    端子受孔部
２４    操作片
３０    光フアィバ
３１    入光端子部
【図１】
2009288595.tif 000003
【図２】
2009288595.tif 000004
【図３】
2009288595.tif 000005
【図４】
2009288595.tif 000006
【図５】
2009288595.tif 000007